(57)【要約】  本発明の主題は、円筒形状であり、プラスチック製の本体（６）からなるキャップ組立ブロックであり、側壁の高さ、半径、押し出し部の深さ及び厚さなどの本体のパラメータは、キャップ組立ブロックに適応されるパッケージングの種類による。スプライン（３）及びソケット（５）は、本体（６）において、側壁に連続的に、少なくとも合計４つ放射状及び交互に連続して形成される。これらは、上面（４）の外部側及び内部側にも配置される。スプライン（３）及びソケット（５）の両方は、それらの本質的な部分において円筒形状を有し、断面において丸く、それらの最も外側パーツの断面は、スプライン（３）の場合は円形の形状を有し、ソケット（５）の場合は環状形状を有する。
2019508332.tif 000002
【特許請求の範囲】
【請求項１】
スプライン及びソケットが形成されたキャップ組立ブロックであって、前記組み立てブロックは、二面キャップ組立ブロック（１）であり、
合計４つの、本体（６）の周辺の側壁に放線状及び交互に配置されるスプライン（３）及びソケット（５）を伴う上面（４）によって一方が閉じられる円筒状の前記本体（６）からなり、
最も好ましくは、本体（６）の側部の完全な反対側に位置付けられるスプライン（３）が、直線上において他のスプライン（３）と対応し、
本体（６）の側部の完全な反対側に位置付けられるソケット（５）が、直線上においてソケット（５）に対応するように配置され、
これらの要素の寸法は、スプライン（３）がソケット（５）にフィットするように選択される、キャップ組立ブロック。
【請求項２】
スプライン（３）が、前記二面キャップ組立ブロック（１）の外部側の上面（４）に位置付けられ、
ソケット（５）が、前記二面キャップ組立ブロック（１’）の前記上面（４）の上に位置付けられ、
追加的なスプライン（３）又はソケット（５）が、前記スプライン（３）又は前記ソケット（５）の内部側に形成される、請求項１に記載のキャップ組立ブロック。
【請求項３】
前記スプライン（３）及び前記ソケット（５）の両方は、それぞれの本質的な部分において、円筒形状を有し、断面において丸く、それらの最も外側パーツの断面は、前記スプライン（３）の場合は円形の形状を有し、前記ソケット（５）の場合は環状形状を有する、請求項１又は２に記載のキャップ組立ブロック。
【請求項４】
前記スプライン（３）及び前記ソケット（５）は、前記本体（６）と同じ材料で形成される、請求項１〜３のいずれか一項に記載のキャップ組立ブロック。
【請求項５】
スプライン及びソケットが形成されたキャップ組立ブロックであって、前記組み立てブロックは、多面キャップ組立ブロック（２）であり、
本体（６）の周辺の側壁に放線状及び交互に配置される多数のスプライン（３）及びソケット（５）（最も好ましくは合計８つ）を伴う上面（４）によって一方が閉じられる円筒状の前記本体（６）からなり、
最も好ましくは、前記本体（６）の側部の完全な反対側に位置付けられる前記スプライン（３）が、直線状において前記スプライン（３）と対応し、本体（６）の側部の完全な反対側に位置付けられる前記ソケット（５）は、直線状において前記ソケット（５）に対応するように配置され、
これらの要素の寸法は、前記スプライン（３）が前記ソケット（５）にフィットするように選択される、キャップ組立ブロック。
【請求項６】
スプライン（３）は、前記多面キャップ組立ブロック（２）の外部側の前記上面（４）に位置付けられ、
ソケット（５）は、前記多面キャップ組立ブロック（２’）の前記上面（４）に位置付けられ、
追加的なスプライン又はソケットが、それぞれ前記スプライン又は前記ソケットの内部側に形成される、請求項５に記載のキャップ組立ブロック。
【請求項７】
前記スプライン（３）及び前記ソケット（５）の両方は、それぞれの本質的な部分において、円筒形状を有し、断面において丸く、それらの最も外側パーツの断面は、前記スプライン（３）の場合は円形の形状を有し、前記ソケット（５）の場合は環状形状を有する、請求項５又は６に記載のキャップ組立ブロック。
【請求項８】
前記スプライン（３）及び前記ソケット（５）は、前記本体（６）と同じ材料で形成される、請求項５〜７のいずれか一項に記載のキャップ組立ブロック。
【発明の詳細な説明】
【技術分野】
【０００１】
本発明の主題は、幼児の玩具として使用でき、ミネラルウォータ、飲料、ネクター、ジュース、乳製品及びミルクなどの食料品を保存する目的とする、特にボトルなどの容器を閉じるために適用される、ボトルキャップ組立ブロックである。本発明の主題であるキャップは、ＰＥＴ、ＨＤＰＥ、及び段ボールパッケージングなど種々のタイプのパッケージングにおいて使用できる。なお、このキャップを無毒性の衛生製品、例えば、歯磨き粉のパッケージングを閉じるために使用することも可能である。
【背景技術】
【０００２】
遊戯を目的とする組み立てブロックでもあるキャップの解決方法が存在する。
【０００３】
“Ｃｏｍｂｉｎａｔｉｏｎ  ｂｏｔｔｌｅ  ｃａｐ  ａｎｄ  ｃｏｎｓｔｒｕｃｔｉｏｎ  ｔｏｙ”と題される解決方法は、米国の発明の明細書（米国特許出願公開第５３６１９１９（Ａ）号）から公知である。開示された発明は、ボトルキャップ及び建設玩具の組み合わせであり、回収されたキャップを結合させ、キャップを使用して種々の形状及び種々の構成のフィギュアを組み立てることが可能となる。上記明細書に説明されるキャップは、六角形の固体の中に囲まれ、突起部はそれらの側面にあり、より詳しくは、１つおきの側面に突起部があり、その隣側に突起部に対応する凹部がある。更に、キャップの周辺縁部、つまり下部及び上部の両方は、面取りされており、及びそれらにおいて形成される凹部に対応する凹部又は突起部がある。そのため、他のキャップを４５°の角度で留めることが可能となる。同様の突起部は、キャップの底部の外部表面にも形成される。キャップを設けることにより、これらを固定することが可能になる。
【０００４】
“Ｅｓｓｅｎｔｉａｌｌｙ  ｃｙｌｉｎｄｒｉｃａｌ  ｆｕｎｃｔｉｏｎａｌ  ｃａｐ  ｓｈａｐｅｄ  ａｓ  ａ  ｂｕｉｌｄｉｎｇ  ｂｌｏｃｋ，  ｕｓｅ  ｏｆ  ｔｈｅ  ｃａｐ，  ｍｅｔｈｏｄ  ｆｏｒ  ｐｒｏｄｕｃｉｎｇ  ｔｈｅ  ｃａｐ，  ａｎｄ  ｓｅｔ  ｏｆ  ａｔ  ｌｅａｓｔ  ｏｎｅ  ｃａｐ”と題される解決方法は、別のブラジルの発明の明細書、ブラジル特許出願第２０１４１００３１０２号（この発明の公開番号はない）から公知である。この発明は、内部及び外部パーツを含む側壁を有し、ロック可能なカバーを容器に固定するための要素が取り付けられる、実質的に円筒状のキャップに関する。内部及び外部パーツを含む上面は、接続要素として少なくとも１つのピン及び／又は少なくとも１つの表面において接続を妨げる接続要素及び／又は多数の要素としてソケットを有する。接続部分の基部には、ソケット及び側壁の外部の外側に突出する実装要素が取り付けられていない。接続部分は、実装のためにキャップの位置決めを容易にする要素を含み、この要素は（種々のキャップにおいて）、突起部、凹部、又はこれらの組み合わせからなる群から選択される。この発明は、このようなキャップを含むキャップ及びセットの製造のための適用及び工程にも関する。
【０００５】
“Ｂｕｉｌｄｉｎｇ  ｂｌｏｃｋ  ｔｙｐｅ  ｂｏｔｔｌｅ  ｃｏｖｅｒ”と題される別の解決方法が中国の実用新案、第２００３２１２７１３９（Ｕ）号の明細書から公知である。実用新案は、ボトルカバー、特に、組み立てブロックタイプのカバーを伴うボトルであり、その目的は、ボトルを閉じることに対する関心を高めることである。実用新案によると、ボトルキャップは、丸い箱である。キャップは、ソケット又はプラグを備えるため、ボトルカバーは、プラグをソケットに接続することによって、種々な種類の形状を形成するために結合できる。
【０００６】
別の解決方法として、豪州特許第２０００ＰＱ０００８８号から知られる“Ｂｏｔｔｌｅ  ｃａｐ  ｂｕｉｌｄｉｎｇ  ｂｌｏｃｋ”が挙げられる。上記明細書で示されるボトルキャップは、玩具としても使用できる。接続部分は、多数の切開部を有する上面を含み、上面は、キャップの縁の下面に広がる少なくとも１つの経路又は溝にフィットするような形状及び寸法を有する。経路幅及び内側の切開部は、キャップの周辺部の幅と同一又はやや小さい。組み合わせシステムにおいて、複数のキャップを１つの接続部分に配置することも可能であるので、キャップを組み立て要素として使用できる。実質的に、多くの突起部があり、接続保護部が１つの接続を通して複数の他のキャップを同時に結合できるように数々の種類の経路をマーキングする。
【０００７】
“Ｃｏｍｂｉｎｅｄ  ｐａｃｋａｇｉｎｇ  ａｎｄ  ｐｌａｙｔｈｉｎｇ“と題される別の解決方法が英国特許第１９９３０００３８４８号から公知である。上記明細書内で示される先端部は、ロリポップ（lollipop）に似ていて、（実質的に立方体形状の）パッケージングの中に配置され、均一の三角形のスプライン又はソケットが取り付けられている。ソケットは、他の同様のソケットにスナップ留めすることができ、このように、パッケージングは、玩具の構造部分を形成することができる。ロリポップの先端は、ほぼ完全に先端部内に挿入できるように伸縮式に折り畳まれる延長スティックを含むことができる。そのような場合、全体を実質的に立方体の固体の中に収納することができる。
【発明の概要】
【発明が解決しようとする課題】
【０００８】
開発された発明の目的は、種々の三次元構造物を構築するための組み立てブロックとしても使用できるようなキャップを作成することである。本発明の目的は、パッケージング及びキャップの製造中に生成され、子供用の簡易的な玩具として使用できる廃棄物を利用することである。
【０００９】
スプライン及びソケットが形成された開発されたキャップ組立ブロックの本質は、組み立てブロックが二面キャップ組立ブロックであることを含み、合計４つの、本体の周辺の側壁に放線状及び交互に配置されるスプライン及びソケットを伴う上面によって一方が閉じられる円筒状の本体からなり、スプライン及びソケットは、最も好ましくは、本体の側部の完全な反対側に位置付けられるスプラインが、直線上においてスプラインと対応し、本体の側部の完全な反対側に位置付けられるソケットは、直線上においてソケットに対応するように配置され、これらの要素の寸法は、スプラインがソケットにフィットするように選択される。
【００１０】
好ましくは、二面キャップ組立ブロックの外部側の上面にスプラインがあり、両面バージョンのキャップ組立ブロックの上側にソケットが配置され、追加的なスプライン又はソケットがそれらの内部側に形成される。
【００１１】
好ましくは、スプライン及びソケットの両方は、それらの本質的な部分において円筒形状を有し、断面において丸く、それらの最も外側パーツの断面は、スプラインの場合は円形の形状を有し、ソケットの場合は環状形状を有する。
【００１２】
好ましくは、スプライン及びソケットは、本体と同じ材料で形成される。
【００１３】
スプライン及びソケットが形成されたキャップ組立ブロックは、多面キャップ組立ブロックであってもよく、本体の周辺の側壁に放線状及び交互に配置される多数のスプライン及びソケット（最も好ましくは合計８つの）を伴う上面によって一方が閉じられる円筒状の本体からなり、最も好ましくは、本体の側部の完全な反対側に位置付けられるスプラインが、直線状においてスプラインと対応し、本体の側部の完全な反対側に位置付けられるソケットは、直線状においてソケットに対応するように配置され、これらの要素の寸法は、スプラインがソケットにフィットするように選択される。
【００１４】
好ましくは、スプラインは、多面キャップ組立ブロックの外部側の上面に位置付けられ、ソケットは、多面バージョンのキャップ組立ブロックの上面上に位置付けられ、追加的なスプライン又はソケットがそれらの内部側に形成される。
【００１５】
好ましくは、スプライン及びソケットの両方は、本質的な部分において円筒形状を有し、断面において丸く、それらの最も外側パーツの断面は、スプラインの場合は円形の形状を有し、ソケットの場合は環状形状を有する。
【００１６】
好ましくは、スプライン及びソケットは、本体と同じ材料で形成される。
【発明の効果】
【００１７】
本発明に係る解決方法は、パッケージングの製造において生成される廃棄物を適用し、子供用の玩具として使用可能にする。このため、本解決方法は、キャップなどの廃棄物の仕分け及び回収を促し、本ケースでは教育及び子供の遊戯用に使用される。その後、キャップなどは、既に洗浄されかつ大量に回収されているため、容易にリサイクルすることができる。
【００１８】
本発明は、パッケージングを閉じることを目的とするキャップを使用して、厳密な条件における組み立てブロックで組み立てられる構造物と同様及び同等に良好及び複雑な三次元構造物を組み立てることを可能とする。開発されたキャップにより、本発明の主題を構成するキャップ組立ブロックは、市場で公知であり、かつ入手可能な組み立てブロックと接続することも可能である。
【発明を実施するための形態】
【００１９】
本発明の主題は、図面において示される実施形態で詳細に提示される。
図１は、キャップ組立ブロックの第１のタイプ、すなわち、スプラインが上面にあり、スプラインが前面から示されている二面キャップ組立ブロックの軸測投像図を示す。
図２は、ソケットが上面にあり、９０°回転させてソケットが前面から示されている二面キャップ組立ブロックの軸測投像図を示す。
図３は、キャップ組立ブロックの第１のタイプ、すなわち、スプラインが上面にあり、ソケットが前面から示されている二面キャップ組立ブロックの軸方向投影図を示す。
図４は、ソケットが上面にあり、９０°回転させ、スプラインが前面から示されている、二面キャップ組立ブロックの軸測投像図を示す。
図５は、キャップ組立ブロックの第２のタイプ、すなわち、スプラインが上面にあり、ソケットが前面から示され、ソケットの両側にスプラインを伴う、多面キャップ組立ブロックの軸測投像図を示す。
図６は、ソケットが上面にあり、９０°回転させ、スプラインが前面から示され、スプラインの両側にソケットがある二面キャップ組立ブロックの軸測投像図を示す。
【００２０】
図示されるように、本発明の主題は、キャップ組立ブロックの代替的なセットであって、第１のセットは、二面キャップ組立ブロック（１）（図１〜図４）からなり、第２のセットは、多面キャップ組立ブロック（２）（図５〜図７）からなる。
【００２１】
二面キャップ組立ブロック（１）及び多面キャップ組立ブロック（２）はともに、スプライン（３）が上面（４）にある態様があり、これは、キャップ組立ブロック（１）の場合には、本発明のこのバージョンは図１及び図３に示される。
また、多面キャップ組立ブロック（２）の場合には、本発明のこのバージョンは図５に示される。
同様に、並びにソケット（５）が上面（４）にある態様は、キャップ組立ブロック（１’）の場合であり、本発明のこのバージョンは、図２及び図４に示される。
また、多面キャップ組立ブロック（２’）の場合では、本発明のこのバージョンは図６に示される。
【００２２】
図示されるように、二面キャップ組立ブロック（１）及び多面キャップ組立ブロック（２）は、共に本質的に円筒である、好ましくは、プラスチック製の本体（６）からなり、側壁の高さ、半径、押し出し部の深さ及び厚さなどの本体のパラメータは、二面キャップ組立ブロック（１）又は多面キャップ組立ブロック（２）に適応されるパッケージングの種類による。本体（６）において、本体の上面（４）のスプライン（３）又はソケット（５）は、本体（６）と同じ材料で形成される。
【００２３】
スプライン（３）及びソケット（５）は、本体（６）の側壁に連続して配置され、半径方向に交互に配置されており、二面キャップ組立ブロック（１）において、少なくとも４つの数、又はより多く、最も好ましくは、多面キャップ組立ブロック（２）において８つ配置される。
【００２４】
スプライン（３）及びソケット（５）は、最も好ましくは、スプライン（３）又はソケット（５）が与えられた位置において本体（６）に配置される場合、対応するソケット（５）又はスプライン（３）は、本体（６）の直線状の真反対に配置されるため、スプライン（３）及びソケット（５）は、互いに対応する一対を形成するように対をなして配置される。
【００２５】
最も好ましくは、スプライン（３）及びソケット（５）の両方は、それらの本質的な部分において円筒形状を有し、断面において丸く、それらの最も外側パーツの断面は、スプライン（３）の場合は円形の形状を有し、ソケット（５）の場合は環状形状を有する。
【００２６】
これらの要素の寸法は、スプライン（３）がソケット（５）にフィットするように選択される。これらの要素は、円筒型だけでなく、例えば、三角形、正方形、台形、長方形などのいずれの基部を伴う立方体であってもよいが、必ず寸法は互いに対応する。
【００２７】
円筒型である場合、スプライン（３）の半径はソケット（５）の内部半径と等しくなる。このため、キャップ組立ブロックが互いに結合される場合、摩擦力は確実にこれらの要素を固く接続させるために十分であり、その結果、組み立てブロックの種々の三次元の構造が可能になる。しかしながら、これらの要素の接続は、同時に子供を含む各ユーザが、両面キャップ構築ブロック（１）又は多面キャップ組立ブロック（２）を容易に分離することができるほど十分に弱い。
【００２８】
本体（６）は上面（４）と共に、例えばボトルなどのパッケージングを閉じる。
【００２９】
スプライン（３）又はソケット（５）は、キャップの種類により、キャップの内部側の上面（４）に形成され、パッケージングの内容物に接触するように露出されている。ソケット（５）又はスプライン（３）は、上面（４）において、その外部側、すなわちパッケージングの上に位置され、パッケージングの内容物と接触するように露出されない側でも形成される。
【００３０】
このため、キャップの種類により、上面（４）において、ソケット（５）がキャップの内部で形成される場合、スプライン（３）は上面（４）の外部で形成される。逆もまた同様に、スプライン（３）がキャップの上面（４）の内部で形成される場合、ソケット（５）は、この場合、内部の上面（４）において形成される。
【００３１】
このように構築されたキャップ組立ブロックは、二次元だけでなく三次元での結合を可能にすることで、子供を対象にする三次元構造物を構築し、想像力、創造性、空間感覚を発展させる。
【符号の説明】
【００３２】
１  二面キャップ組立ブロック
２  多面キャップ組立ブロック
３  スプライン
４  上面
５  ソケット
６  本体
【図１】
2019508332.tif 000003
【図２】
2019508332.tif 000004
【図３】
2019508332.tif 000005
【図４】
2019508332.tif 000006
【図５】
2019508332.tif 000007
【図６】
2019508332.tif 000008
【図７】
2019508332.tif 000009
【国際調査報告】
2019508332.tif 000010
2019508332.tif 000011